(57)【特許請求の範囲】
【請求項１】
コンクリート及び／又は鉄鋼で枠状に形成された土台部上に複数本の間伐材を格子状に組み立てた格子部を設けると共に、前記格子部上に捨石を載置し、前記捨石を柵状の収納枠で取り囲んでなることを特徴とする間伐材取替式海中林魚礁。
【請求項２】
前記土台部から複数本の柱部を立設した基枠部を備え、前記柱部の内側に前記格子部を配置したことを特徴とする請求項１に記載の間伐材取替式海中林魚礁。
【請求項３】
前記土台部から１又は複数本の柱部を立設した基枠部を備え、前記柱部に海藻を移植するようにしたことを特徴とする請求項１又は２に記載の間伐材取替式海中林魚礁。
【請求項４】
前記土台部の底面側に格子状の上げ底部を取り付けたことを特徴とする請求項１〜３のいずれかに記載の間伐材取替式海中林魚礁。
【発明の詳細な説明】
【０００１】
【発明の属する技術分野】
本発明は、海底に沈設して魚介類の生息場となる魚礁に関し、より詳しくは間伐材を利用して構成された間伐材取替式海中林魚礁に関するものである。
【０００２】
【従来の技術】
我国の近海領域においては、地球温暖化、環境破壊等の影響で海中環境が悪化し、魚介類の生息地が減少している。そこで、魚介類の生息・繁殖に適するように海中環境を改善する試みが各地で行なわれており、その一つとして魚介類の生息場となる人工魚礁を海底に沈設している。
【０００３】
従来の人工魚礁として、間伐材を有効利用したものが提案されている。間伐は、山林の手入れの一つで、林木の一部を伐採して立木密度を疎にし、有望な樹木の発育を助けるために行なわれている。しかし、間伐材の多くは建築資材としての商品価値が低いため、その有効利用の途が様々な分野で検討されている。そこで、従来では間伐材を井桁状に組み立てた礁本体に海藻種苗を移植すると共に、その内部に捨石を収納した人工魚礁が提案されている。
【０００４】
【発明が解決しようとする課題】
ところが、従来の人工魚礁は、間伐材がフナクイムシなどに食い荒らされるために寿命が短いという問題があった。すなわち、海藻が成長して胞子を周囲に散乱させる前に前記礁本体が倒壊し、藻場が形成されないおそれがあった。
【０００５】
本発明はかかる課題に鑑み創案するに至ったものであって、その目的は、間伐材が倒壊しても藻場の形成が可能で、かつ、各種魚介類の生息・繁殖に適した人工魚礁を提供することにある。
【０００６】
【課題を解決するための手段】
本発明に係る間伐材取替式海中林魚礁は、コンクリート及び／又は鉄鋼で枠状に形成された土台部上に複数本の間伐材を格子状に組み立てた格子部を設けると共に、前記格子部上に捨石を載置し、前記捨石を柵状の収納枠で取り囲んでなることを特徴とする。すなわち、本発明は、繰り返し使用可能な土台部及び収納枠と、使い捨ての間伐材及び捨石とで構成され、数年間海底に沈設すると、前記間伐材が腐食して前記格子部が崩壊するから、前記間伐材及び／又は前記捨石による天然の魚礁が形成されると共に、前記土台部及び前記収納枠を引揚げて、再度間伐材取替式海中林魚礁を構築すれば、その構築費用が廉価になり、しかも間伐材の有効利用を図ることができる。
【０００７】
また、本発明は、前記土台部から複数本の柱部を立設した基枠部を備え、前記柱部の内側に前記格子部を配置したことを特徴とする。すなわち、間伐材取替式海中林魚礁を構築するに際し、前記格子部を前記柱部の内側に配置することにより、前記格子部が崩れ難くなる。換言すると、前記格子部が間伐材を格子状に積み上げたものであっても崩れ難くなる。
【０００８】
また、本発明は、前記土台部から１又は複数本の柱部を立設した基枠部を備え、前記柱部に海藻を移植するようにしたことを特徴とする。すなわち、何時崩壊するか分からない格子部に海藻を移植するよりも、コンクリート及び／又は鉄鋼で堅固に構成された柱部に移植した方が海藻の胞子を周囲に散乱させ易くなる。
【０００９】
また、本発明は、前記土台部の底面側に格子状の上げ底部を取り付けたことを特徴とする。すなわち、コンクリート及び／又は鉄鋼で構成された重量の重い基枠部を、そのまま海底面に沈設すると、海砂利が基枠部内外に堆積し、基枠部の引揚げ作業が困難になる。そこで、基枠部の底面側に格子状の上げ底部を取り付けると、海流の影響で海砂利が堆積し難くなる。なお、上げ底部としては、間伐材で構成したものでもよいし、コンクリート又は鉄鋼で基枠部から脱着自在に構成したものでもよい。
【００１０】
【発明の実施の形態】
以下、図面を参照しつつ本発明に係る間伐材取替式海中林魚礁（以下、単に魚礁１と称する。）の一実施形態について説明する。
【００１１】
図１は本発明の魚礁１を例示しており、同図において、２は基枠部、３は格子部、４は上げ底部、５は収納枠、６は海藻（一部にのみ符号を付す。）である。
【００１２】
基枠部２は、鉄鋼（丸鋼、溝形鋼、Ｈ形鋼、鋼管など）、コンクリート、鉄筋コンクリート又は鉄筋鉄骨コンクリートなどで形成され、例えば図２のように、矩形平面枠状に形成された土台部７の四隅から柱部８を立設したものでよい。
【００１３】
なお、土台部７としては、矩形平面枠状以外でもよく、例えば円環状、多角平面枠状又は立体枠状（立体格子を含む）などでもよい。また、土台部７が平面枠状に形成されている場合、魚礁１の内外の往来性を向上すべく、図３（Ａ）のように、その側面部から窓孔にかけて貫通孔９を形成してもよい。さらに、土台部７の上面部には、格子部３を安定に載置できるように、間伐材１３ａが嵌合可能な嵌合溝１０を形成してもよい。
【００１４】
また、柱部８は、横断平面形状が円形状や多角形状など種々の形状でよく、さらに、その側面部には、図３（Ａ）のように、螺旋状の溝１１を形成しておいてもよい。すなわち、螺旋状の溝１１は、図３（Ｂ）のように、海藻６の幼体又は成体が付着したロープ１２を柱８に巻回するに際し、ロープ１２を嵌め込むためのもので、これにより、ロープ１２の露出部位と柱部８の表面とのレベル差が縮まり、海藻６が柱部８に根付きやすくなる。
【００１５】
なお、基枠部２を構成するコンクリートとしては、海中での耐久性が高く、アルカリ性のアクが殆ど放出されない新素材コンクリート（例えば、中国電力株式会社製「ＮＡクリート」（ネオアッシュクリート））を用いると良い。また、基枠部２は、軽量化を図るべく、土台部７及び柱部８を中空状に形成してもよい。さらに、基枠部２には、沈設時又は引揚げ時にフック（図示略）を引っ掛けるための係止部（図示略）を土台部７及び／又は柱部８に設けてもよい。
【００１６】
格子部３は、図１のように、所定本数（例えば５本）の間伐材１３ａを柱部８間に所定間隔で配列し、それと直交方向に所定本数（例えば５本）の間伐材１３ａを所定間隔で載置し、複数段（例えば６段）に積み重ねて格子状にしたものである。すなわち、格子部３は、間伐材１３ａの配列数に応じて適当な大きさの間隙を形成可能になっている。
【００１７】
なお、格子部３は、基枠部２の平面形状に対応して適宜間伐材１３ａの積み上げ方を変更してもよいし、金具又はロープ（いずれも図示略）などを用いて間伐材１３ａ同士を固定してもよい。
【００１８】
上げ底部４は、図１のように、間伐材１３ｂを縦横に積み重ねると共に、金具又はロープ（いずれも図示略）で基枠部２の底面側に取り付けたものであって、基枠部２が海底面下に沈下するのを防止するために設けられている。すなわち、基枠部２を直接海底面に載置すると、海流の影響で海砂利が魚礁１の内外に堆積し、基枠部２が経年と共に徐々に沈下するおそれがある。これに対し、上げ底部４を設けた場合は、魚礁１の内外の通水性が向上し、海砂利が堆積し難くなる。
【００１９】
収納枠５は、柵状の枠体であって、格子部３の上部に載置され、その枠内に捨石１４を収納可能になっている。なお、収納枠５としては、捨石１４を収納可能で、かつ、所定の強度及び耐久性があればよく、例えば材質（例えば鉄鋼製、コンクリート製、樹脂製など）、網目の形状又は大きさなどに関しては適宜変更可能である。
【００２０】
本発明の魚礁１は、上記の如く、コンクリート及び／又は鉄鋼で枠状に形成された土台部７から複数本の柱部８を立設した基枠部２と、土台部７上に格子状に組み立てられた複数本の間伐材１３ａからなる格子部３と、土台部７の底面側に格子状に組み立てられた複数本の間伐材１３ｂを取り付けてなる上げ底部４と、格子部３上に載置された捨石１４を取り囲む柵状の収納枠５とを備え、柱部８に海藻６を移植するようにした。
【００２１】
すなわち、基枠部２の柱部８に海藻６の幼体又は成体を移植すると、所定期間（例えば１〜２年程度）経過後には、海藻６の胞子が散乱し、格子部３、上げ底部４、土台部７及び捨石１４や、魚礁１の周囲に海藻６が根付き、藻場が形成される。さらに、所定期間（例えば３〜５年程度）が経過すると、間伐材１３ａ，１３ｂがフナクイムシなどに食い荒らされ、格子部３及び／又は上げ底部４が倒壊し、海藻６が付着した捨石１４が基枠部２の窓孔内外に落下する。すなわち、本発明の魚礁１は、魚礁としての機能が低下しても海藻６が付着した捨石１４を海底に残すことが可能であるから、海中環境を向上させることができる。
【００２２】
また、魚礁１の機能が低下した段階で、基枠部２及び／又は収納枠５を引揚げ、当該基枠部２及び／又は収納枠５を用いて、再度、魚礁１を構築して沈設することにより、図４のように、藻場の造成領域の拡張を容易に行なえる。すなわち、基枠部２及び収納枠５は、繰り返し使用することができるから、魚礁１の再構築を低コストで行なえ、しかも間伐材１３ａ，１３ｂの消費拡大が期待できる。
【００２３】
また、本発明は、間伐材１３ａ，１３ｂをフナクイムシなどの食料とすることで、その繁殖を促進しているので、フナクイムシなどを捕食する魚介類の蝟集効果を向上させることができる。さらに、間伐材１３ａ，１３ｂは、倒壊しても海中で生分解されて、含有ミネラルが海中に放出されるから、海中環境を向上させることができる。
【００２４】
以上、本発明の一実施形態につき説明したが、本発明は前記実施形態に限定されることなく種々の変形が可能であって、例えば、収納枠５を基枠部２の柱部８の外側又は内側若しくは窓孔から立設すると共に、収納枠５の下部を間伐材１３ａの径より大径の網目状に形成し、かつ、上部を捨石１４の径よりも小径の網目状に形成してもよい。すなわち、収納枠５の下部では、間伐材１３ａを所定の網目に挿し込んで支持し、上部では間伐材１３ａの上に捨石１４を載置する。これにより、間伐材１３ａが倒壊しても捨石１４が基枠部２の窓孔に落ち込むから、基枠部２の引揚げが容易になり、しかも基枠部２の引揚げ後には海藻が付着した捨石１４が一群で残るから、魚礁として機能を維持させることが可能になる。
【００２５】
【発明の効果】
本発明によれば、間伐材の有効利用が可能で、魚礁としての機能が低下しても海中環境を向上させることができる。
【図面の簡単な説明】
【図１】本発明に係る間伐材取替式海中林魚礁を例示する斜視図である。
【図２】基枠部を例示する斜視図である。
【図３】（Ａ）は基枠部の変形例を例示する斜視図で、（Ｂ）は（Ａ）の要部拡大断面図である。
【図４】間伐材取替式海中林魚礁の再構築による藻場の拡張例を示す平面図である。
【符号の説明】
１．間伐材取替式海中林魚礁
２．基枠部
３．格子部
４．上げ底部
５．収納枠
６．海藻
１３ａ，１３ｂ．間伐材
１４．捨石
【図１】
0003605396.tif 000002
【図２】
0003605396.tif 000003
【図３】
0003605396.tif 000004
【図４】
0003605396.tif 000005